(57)【要約】【課題】セグメントの組立てを容易にし、且つ、セグメント間で高い接合強度が得られるセグメントの継手構造の提供。【解決手段】雄側嵌合部１１の雄側嵌合部本体表面にセグメント軸方向に向けて突設された係合用突条１３，１３を備え、雌側嵌合部２０に一対の反力受け板部２１，２１を有する雌側嵌合部本体２２と、各反力受板部２１，２１の接合面側端部にそれぞれ基端が一体又は一体的に支持された弾性材からなる一対の弾性係合部２３，２３とを備え、セグメント１，１のスライド移動に伴って雄側嵌合部本体部２２が両弾性係合部２３，２３間に挿入されるとともに弾性係合部の先端部２３ａが係合用突条１３と係合し、且つ、両弾性係合部２３，２３が弾性変形し、各弾性係合部の先端部２３ｂが雄側嵌合部本体２２表面に近接するようにしたセグメントの継手構造。【選択図】図２
2014201993.tif 000002
【特許請求の範囲】
【請求項１】
セグメント周方向で接合されて円環状のセグメントリングを構成する各セグメント間にあって、一方のセグメントの接合部端面より突出した雄側嵌合部を有する雄側継手部材と、他方のセグメントの接合部端面に開口させた凹部内に配置された雌側嵌合部を有する雌側継手部材とを備え、前記雄側嵌合部を前記凹部に挿入し、且つ前記両セグメントをセグメント軸方向に相対的にスライド移動させて前記雄側嵌合部を前記雌側嵌合部と互いに嵌合させることにより前記セグメント間が接合されるようにしたセグメントの継手構造において、
前記雄側嵌合部に表面部がセグメント厚み方向に向けられた平板状の雄側嵌合部本体と、該雄側嵌合部本体の表面にセグメント軸方向に向けて突設された係合用突条とを備え、
前記雌側嵌合部にセグメント厚み方向に互いに間隔をおいて対向した一対の反力受け板部を有する雌側嵌合部本体と、前記各反力受板部の接合面側端部にそれぞれ基端が一体又は一体的に支持され、先端側が前記反力受板部内側に折り返された形状に形成された弾性材からなる一対の弾性係合部とを備え、
前記セグメントのスライド移動に伴って前記雄側嵌合部本体部が前記両弾性係合部間に挿入されるとともに前記弾性係合部の先端部が前記係合用突条と係合し、且つ、前記両弾性係合部が弾性変形し、該各弾性係合部の先端部が前記雄側嵌合部本体表面に近接するようにしたことを特徴としてなるセグメントの継手構造。
【請求項２】
前記雄側嵌合部本体表面部の前記弾性係合部が近接した部分に該弾性係合部の先端部と互いに係合し、該弾性係合部のセグメント周方向の移動を規制する変形規制部を備えた請求項１に記載のセグメントの継手構造。
【請求項３】
前記係合用突条は、セグメント軸方向前端部に前端側が奥側に向けて傾斜した形状の嵌合誘導部を備えた請求項１又は２に記載のセグメントの継手構造。
【請求項４】
前記各反力受板部の外側面部に複数の棒状のアンカー部材がセグメント軸方向に間隔を置いた平行配置に固定されてなる請求項１、２又は３に記載のセグメントの継手構造。
【請求項５】
前記複数のアンカー部材にセグメント軸方向に向けた一又は複数の補強筋材が固定されてなる請求項４に記載のセグメントの継手構造。
【発明の詳細な説明】
【技術分野】
【０００１】
本発明は、トンネルの内部覆工に用いられるセグメント間を連結するセグメントの継手構造に関する。
【背景技術】
【０００２】
シールド工法よるトンネル構築においては、シールド掘削機の後方側で掘削孔の内周面に沿って円弧版状のセグメントを周方向に連結してセグメントリングを組み立て、このセグメントリングをシールド掘削機の進行に合わせて順次トンネル軸方向に連設することによりトンネル内に覆工がなされている。
【０００３】
従来、各セグメントのセグメント周方向接合部間を接合するセグメント継手は、ボルトにより接合する構造が一般的であったが、その他の接合構造として例えばコーンコネクタを用いた継手構造やコッター形式の継手構造が知られている（例えば、特許文献１を参照）。
【０００４】
このようなコーンコネクタを用いた継手構造やコッター形式の継手構造では、一方のセグメントのセグメント周方向接合部端面より突出させた雄側継手部材と、他方の接合部端面に開口した凹部内に配置された雌側継手部材とを備え、雄側継手部材を凹部内に挿入し、セグメントをセグメント軸方向に相対的にスライド移動させることにより、雄雌側両継手部材を互いに係合させて両セグメント間を接合させるようになっている。
【０００５】
雄型継手部材は、セグメント軸方向に縮径側を向けた円錐台形状の雄側嵌合部と、一端側に雄側嵌合部を支持し、他端側がセグメントに固定された支持部とを備え、雌型継手部材は、セグメント軸方向に向けて内径が順次縮径する円錐台形状の嵌合孔を有する雌側嵌合部を備え、セグメントのスライド移動に伴って、雄側嵌合部が嵌合孔に挿入され、雄側嵌合部が雌側嵌合部に楔状に嵌合されることにより両継手部材が締結され、それにより両セグメントが接合されるようになっている。
【先行技術文献】
【特許文献】
【０００６】
【特許文献１】特開２００４−３２４１０４号公報
【発明の概要】
【発明が解決しようとする課題】
【０００７】
しかしながら、上述の如き従来の技術では、雌雄両継手部材間の締結力を互いに円錐台形状に形成された雄側嵌合部と嵌合孔との嵌合により得るため、継手部材の製作に高い精度が要求され、セグメントに対する各継手部材の設置位置も正確に決定しなければならず、その為、セグメントの製作コストが嵩むという問題があった。
【０００８】
言い換えれば、従来技術では、雌雄両継手部材の締結力が大き過ぎるとセグメントの組立てが困難となり、小さ過ぎるとセグメント間の接合強度が不足する虞があった。
【０００９】
また、両セグメントのセグメント周方向の接合強度は、雄側嵌合部と雌側嵌合部との嵌合強度に依存するため、両嵌合部の形状が大型化し、重量が嵩むという問題があった。
【００１０】
そこで、本発明は、このような従来の問題に鑑み、セグメントの組立てを容易にし、且つ、セグメント間で高い接合強度が得られるセグメントの継手構造の提供を目的としてなされたものである。
【課題を解決するための手段】
【００１１】
上述の如き従来の問題を解決するための請求項1に記載の発明の特徴は、セグメント周方向で接合されて円環状のセグメントリングを構成する各セグメント間にあって、一方のセグメントの接合部端面より突出した雄側嵌合部を有する雄側継手部材と、他方のセグメントの接合部端面に開口させた凹部内に配置された雌側嵌合部を有する雌側継手部材とを備え、前記雄側嵌合部を前記凹部に挿入し、且つ前記両セグメントをセグメント軸方向に相対的にスライド移動させて前記雄側嵌合部を前記雌側嵌合部と互いに嵌合させることにより前記セグメント間が接合されるようにしたセグメントの継手構造において、前記雄側嵌合部に表面部がセグメント厚み方向に向けられた平板状の雄側嵌合部本体と、該雄側嵌合部本体の表面にセグメント軸方向に向けて突設された係合用突条とを備え、前記雌側嵌合部にセグメント厚み方向に互いに間隔をおいて対向した一対の反力受け板部を有する雌側嵌合部本体と、前記各反力受板部の接合面側端部にそれぞれ基端が一体又は一体的に支持され、先端側が前記反力受板部内側に折り返された形状に形成された弾性材からなる一対の弾性係合部とを備え、前記セグメントのスライド移動に伴って前記雄側嵌合部本体部が前記両弾性係合部間に挿入されるとともに前記弾性係合部の先端部が前記係合用突条と係合し、且つ、前記両弾性係合部が弾性変形し、該各弾性係合部の先端部が前記雄側嵌合部本体表面に近接するようにしたセグメントの継手構造にある。
【００１２】
請求項２に記載の発明の特徴は、請求項1の構成に加え、前記雄側嵌合部本体表面部の前記弾性係合部が近接した部分に該弾性係合部の先端部と互いに係合し、該弾性係合部のセグメント周方向の移動を規制する変形規制部を備えたことにある。
【００１３】
請求項３に記載の発明の特徴は、請求項１又は２の構成に加え、前記係合用突条は、セグメント軸方向前端部に前端側が奥側に向けて傾斜した形状の嵌合誘導部を備えたことにある。
【００１４】
請求項４に記載の発明の特徴は、請求項１、２又は３の構成に加え、前記各反力受板部の外側面部に複数の棒状のアンカー部材がセグメント軸方向に間隔を置いた平行配置に固定されてなることにある。
【００１５】
請求項５に記載の発明の特徴は、請求項４の構成に加え、前記複数のアンカー部材にセグメント軸方向に向けた一又は複数の補強筋材が固定されてなることにある。
【発明の効果】
【００１６】
本発明に係るセグメントの継手構造は、上述したように、セグメント周方向で接合されて円環状のセグメントリングを構成する各セグメント間にあって、一方のセグメントの接合部端面より突出した雄側嵌合部を有する雄側継手部材と、他方のセグメントの接合部端面に開口させた凹部内に配置された雌側嵌合部を有する雌側継手部材とを備え、前記雄側嵌合部を前記凹部に挿入し、且つ前記両セグメントをセグメント軸方向に相対的にスライド移動させて前記雄側嵌合部を前記雌側嵌合部と互いに嵌合させることにより前記セグメント間が接合されるようにしたセグメントの継手構造において、前記雄側嵌合部に表面部がセグメント厚み方向に向けられた平板状の雄側嵌合部本体と、該雄側嵌合部本体の表面にセグメント軸方向に向けて突設された係合用突条とを備え、前記雌側嵌合部にセグメント厚み方向に互いに間隔をおいて対向した一対の反力受け板部を有する雌側嵌合部本体と、前記各反力受板部の接合面側端部にそれぞれ基端が一体又は一体的に支持され、先端側が前記反力受板部内側に折り返された形状に形成された弾性材からなる一対の弾性係合部とを備え、前記セグメントのスライド移動に伴って前記雄側嵌合部本体部が前記両弾性係合部間に挿入されるとともに前記弾性係合部の先端部が前記係合用突条と係合し、且つ、前記両弾性係合部が弾性変形し、該各弾性係合部の先端部が前記雄側嵌合部本体表面に近接するようにしたことにより、雄側継手部材と雌側継手部材との嵌合を容易に行え、且つ、セグメント間にセグメント周方向の引張力が生じた場合、両弾性係合部により雄側嵌合部本体を挟持することにより、当該引張力に対抗することができる。
【００１７】
また、本発明において、前記雄側嵌合部本体表面部の前記弾性係合部が近接した部分に該弾性係合部の先端部と互いに係合し、該弾性係合部のセグメント周方向の移動を規制する変形規制部を備えたことにより、高い引張抵抗力を得ることができる。
【００１８】
更に、本発明において、前記係合用突条は、セグメント軸方向前端部に前端側が奥側に向けて傾斜した形状の嵌合誘導部を備えたことにより、雌雄両継手部材間の嵌合を円滑に行うことができる。
【００１９】
更にまた、本発明において、前記各反力受板部の外側面部に複数の棒状のアンカー部材がセグメント軸方向に間隔を置いた平行配置に固定されてなることにより、反力受板部の曲げ耐力を強化し、セグメント周方向で高い引張耐力を得ることができる。
【００２０】
また、本発明において、前記複数のアンカー部材にセグメント軸方向に向けた一又は複数の補強筋材が固定されてなることにより、反力受板部の曲げ耐力を更に強化することができる。
【図面の簡単な説明】
【００２１】
【図１】本発明に係るセグメントの継手構造の使用状態を示す概略平面図である。
【図２】図1中の継手部分を示す部分拡大縦断面図である。
【図３】同上の部分拡大横断面図である。
【図４】同上の雄側継手部材を示す縦断面図である。
【図５】同上の横断面図である。
【図６】同上の雌側継手部材を示す縦断面図である。
【図７】同上の横断面図である。
【発明を実施するための形態】
【００２２】
次に、本発明に係るセグメントの継手構造の実施の態様を図１〜図７に示す実施例に基づいて説明する。尚、図中符号１はコンクリートにより円弧版状に形成されたセグメントであって、複数のセグメント１，１...をセグメント周方向で互いに対向する接合部端面２ａ，２ｂを互いに突き合わせて連結することにより円環状のセグメントリングが組み立てられるようになっている。
【００２３】
尚、以下の説明においては、各セグメント１，１...のセグメントリングの周方向をセグメント周方向、セグメントリングの半径方向をセグメント厚み方向、セグメントリングの中心軸方向をセグメント軸方向とし、セグメント軸方向の雄側継手部材のスライド移動の進行方向奥側を前として説明する。
【００２４】
この各セグメント１，１間を接合する継手構造は、一方のセグメント１の接合部端面２ａよりセグメント周方向に向けて突出した雄側継手部材３と、他方側のセグメント１の接合部端面２ｂに開口した凹部４内に配置された雌側継手部材５とを備え、雄側継手部材３を凹部４内に挿入して両接合部端面２ａ，２ｂを互いに突き合わせた状態とし、その状態で両セグメント１，１をセグメント軸方向で相対的にスライド移動させて雄側継手部材３と雌側継手部材５とを互いに嵌合させ、それによりセグメント１，１...を接合するようになっている。
【００２５】
雄側継手部材３は、図４、図５に示すように、平版状のアンカープレート部１０と、アンカープレート部１０の接合端面側に一体に支持された雄側嵌合部１１とを備え、アンカープレート部１０がセグメントの周方向端部に埋設されることにより、雄側嵌合部１１がセグメント１の接合部端面２ａよりセグメント周方向に向けて突設されている。
【００２６】
雄側嵌合部１１は、表面をセグメント厚み方向に向けて接合端面２ａより突出した平板状の雄側嵌合部本体１２と、雄側嵌合部本体１２の両表面にセグメント軸方向に向けて突設された係合用突条１３，１３とを備えている。
【００２７】
雄側嵌合部本体１２は、アンカープレート部１０と一体に形成され、矩形平板状に形成された鋳鉄鋼等からなる剛性板材の長手方向の一方の端部を雄側嵌合部本体１２とし、その他の部分をアンカープレート部１０としている。
【００２８】
そして、この剛性板材がその長手方向をセグメント周方向に向け、且つ、その表面をセグメント厚み方向に向けて配置され、その状態にてアンカープレート部１０がセグメント１の周方向端部に埋設されることにより、平板状の雄側嵌合部本体１２がその表面をセグメント厚み方向に向けた状態で接合端面２ａより突出している。
【００２９】
係合用突条１３，１３は、鋳鉄鋼等の剛性を有する材料もって矩形断面がセグメント軸方向に連続した形状に形成され、雄側嵌合部本体１２表面の接合部端面２ａより所定の間隔Ｌ１を隔てた位置に、その長手方向をセグメント軸方向、即ち、接合される両セグメント１，１が互いにスライド移動する方向に向けて溶接により強固に固定されている。
【００３０】
この係合用突条１３，１３は、セグメント軸方向前端部、即ち、スライド方向の前端部に前端側が奥側に向けて傾斜した形状の嵌合誘導部１３ａを備えている。
【００３１】
尚、図中符号１４はセグメント１，１...内に埋設された鉄筋であって、この鉄筋１４，１４にアンカープレート部１０が溶接等により固定されている。
【００３２】
一方、雌側継手部材５は、図６、図７に示すように、雄側嵌合部１１と互いに嵌合する雌側嵌合部２０を備え、この雌側嵌合部２０がセグメント１，１...の接合端部２ｂに形成された凹部４内のセグメント軸方向側に片寄せた位置に固定されている。尚、凹部４は、セグメント軸方向に長い直方体状に形成されている。
【００３３】
雌側嵌合部２０は、鋼材等の一定の弾性を有する金属材をもって一体に形成され、セグメント厚み方向に互いに間隔をおいて対向した一対の反力受板部２１，２１を有する雌側嵌合部本体２２と、各反力受板部２１，２１の接合面側端縁部にそれぞれ基端が一体に支持された一対の弾性係合部２３，２３とを備えている。
【００３４】
また、この雌側嵌合部２０は、凹部４のセグメント軸方向奥側端に配置された補強板部２４を備えている。
【００３５】
雌側嵌合部本体２２は、平板状の背面板部２５と、背面板部２５の上下両端縁より鉛直方向に折り曲げた形状の一対の反力受板部２１，２１とを備え、背面板部２５及び両反力受板部２１，２１をもって正面視コ字状に形成され、凹部４に背面板部２５及び両反力受板部２１，２１の外側面が当該凹部４の各内側面と互いに対向させて嵌め込まれている。
【００３６】
また、両反力受板部２１，２１は、そのセグメント軸方向奥側端縁部が補強板部２４に溶接により強固に固定され、互いにセグメント厚み方向で間隔を置いて対向した両反力受板部２１，２１の互いに離反する方向への変形が規制され、高い曲げ耐力が確保されている。
【００３７】
各反力受板部２１，２１の外側には、セグメント軸方向に間隔を置いた平行配置にセグメント１に埋設された複数のアンカー部材２６，２６が備えられ、その端部が溶接により反力受板部２１，２１の外側面に固定され、雌側嵌合部２０がアンカー部材２６，２６を介してセグメント１，１...に固定されている。
【００３８】
また、各アンカー部材２６，２６には、セグメント軸方向に向けた一又は複数の補強筋材２７が各アンカー部材２６，２６間に架け渡された配置に固定され、各反力受板部２１，２１が補強されている。
【００３９】
弾性係合部２３，２３は、基端を各反力受板部２１，２１の接合面側端縁部に一体に支持され、先端側が反力受板部２１，２１内側に折り返された形状に形成され、互いにセグメント厚み方向に対向して横向きハ字状を成している。
【００４０】
即ち、各弾性係合部２３，２３は、先端側が背面板部２５側に進むに従って両弾性係合部２３，２３間距離が狭まるように傾斜した形状に形成され、基端部を基軸にセグメント厚み方向で回動可能な片持ち板ばね状を成している。
【００４１】
また、各弾性係合部２３，２３は、雌雄両嵌合部１１，２０が未嵌合の状態において、接合端面２ｂから先端内縁部２３ａまでのセグメント周方向距離Ｌ２が接合端面２ａから係合用突条１３の接合側面１３ｂまでのセグメント周方向距離Ｌ１と比べて長くなるように形成されている。
【００４２】
このセグメント１，１...の継手構造によりセグメント周方向で隣り合うセグメント１，１...間を接合するには、まず、凹部４内に雄側継手部材３の雄側嵌合部１１を挿入し、セグメント周方向で互いに隣り合うセグメント１，１の接合部端面２ａ，２ｂ同士を突合せ配置とする。
【００４３】
次に、セグメント１，１をセグメント軸方向に向けて相対的にスライド移動させると、それに伴って雄側嵌合部本体１２が両弾性係合部２３，２３間に挿入されるとともに、各弾性係合部２３，２３の先端部が嵌合誘導部１３ａによって係合用突条１３，１３の接合端面側に誘導され、更にスライド移動させることにより両弾性係合部２３，２３の先端内縁部２３ａが係合用突条１３，１３の接合側面と係合する。
【００４４】
そして、接合端面２ｂから弾性係合部２３，２３の先端内縁２３ａまでのセグメント周方向距離Ｌ２が接合端面２ａから係合用突条１３，１３までのセグメント周方向距離Ｌ１と比べて長いので、両弾性係合部２３，２３は、係合用突条１３，１３に押圧されて弾性変形し、基端部を基軸に雄側嵌合部本体１２側へ回動し、図２に示すように、弾性係合部２３，２３の先端外縁部２３ｂが雄側嵌合部本体１２表面に近接する。
【００４５】
そして、この継手構造では、セグメント１，１のスライド移動に伴って雄側嵌合部本体１２部が両弾性係合部２３，２３間に挿入されるとともに、弾性係合部２３，２３の先端部が係合用突条１３，１３と係合することにより、雄雌両継手部材３，５間のセグメント周方向の移動が規制される。
【００４６】
また、弾性係合部２３，２３の先端部が係合用突条１３，１３と係合した状態にあっては、両弾性係合部２３，２３が弾性変形した状態にあり、従って、両弾性係合部２３，２３は、各反力受板部２１，２１に反力をとって係合用突条１３，１３を押圧し、雄側継手部材３を対向する接合面部２ａ，２ｂを互いに押圧する方向に付勢するようになっている。
【００４７】
即ち、この両弾性係合部２３，２３による付勢力により、セグメント周方向で隣接する両セグメント１，１...を接合させている。
【００４８】
更に、このように構成された継手構造では、雌雄両嵌合部１１，２２が嵌合した状態で各弾性係合部２３，２３の先端部が雄側嵌合部本体１２表面に近接するようにしたことによって、両セグメント１，１にセグメント周方向で互いに離反する方向の力（引張力）が作用した場合、両弾性係合部２３，２３が係合用突条１３，１３に押圧されて更に弾性変形し、弾性係合部２３，２３の先端外縁部２３ｂが雄側嵌合部本体１２表面に押当てられる。
【００４９】
それにより、両弾性係合部２３，２３により雄側嵌合部本体１２を挟持するとともに、両弾性係合部２３，２３が雄側嵌合部本体１２に対し先端内縁部２３ａ及び先端外縁部２３ｂの２点で支持されるので、当該引張力と弾性係合部２３，２３を介して作用する反力受板部２１，２１からの反力とが釣り合い、セグメント周方向で高い引張耐力が得られる。
【００５０】
尚、両セグメント１，１にセグメント周方で互いに離反する方向の力が解除されると、両弾性係合部２３，２３の弾性により、元の状態に復帰する。
【００５１】
尚、上述の実施例では、両弾性係合部２３，２３をそれぞれ反力受板部２１，２１の端縁に一体に支持させた例について説明したが、弾性係合部２３，２３を雌側嵌合部本体２２と別個に形成し、当該弾性係合部２３，２３を溶接によって反力受板部２１，２１に一体的に支持させるようにしてもよい。
【００５２】
また、上述の実施例の態様に加え、雄側嵌合部本体１３表面部の弾性係合部２３，２３が近接した部分に弾性係合部２３の先端部と互いに係合する変形規制部を備え、両セグメント１，１にセグメント周方向で互いに離反する方向の力（引張力）が作用し、弾性係合部２３，２３の先端外縁部２３ｂが雄側嵌合部本体１２表面に押当てられた際、弾性係合部２３の先端部が変形規制部と互いに係合することで弾性係合部２３，２３のセグメント周方向の移動を規制し、当該引張力に対抗させるようにしてもよい。
【００５３】
この変形規制部は、例えば、弾性係合部２３の先端外縁部２３ｂが嵌り込むセグメント軸方向に向けた係合溝をもって形成してもよく、雄側嵌合部本体１３の表面の摩擦係数をローレット加工等により高めたものであってもよい。
【符号の説明】
【００５４】
１  セグメント
２  接合部端面
３  雄側継手部材
４  凹部
５  雌側継手部材
１０  アンカープレート部
１１  雄側嵌合部
１２  雄側嵌合部本体
１３  係合用突条
１４  鉄筋
２０  雌側嵌合部
２１  反力受板部
２２  雌側勘合部本体
２３  弾性係合部
２４  補強板部
２５  背面板部
２６  アンカー部材
２７  補強筋材
【図１】
2014201993.tif 000003
【図２】
2014201993.tif 000004
【図３】
2014201993.tif 000005
【図４】
2014201993.tif 000006
【図５】
2014201993.tif 000007
【図６】
2014201993.tif 000008
【図７】
2014201993.tif 000009